(57)【特許請求の範囲】
【請求項１】
キャビネットに形成された開口を介して出入自在に指示された引出式ディスクトレイに設置されるもので、該引出式ディスクトレイの出入駆動用の押し釦とシールド部材とを支持してなるパネル装置において、前記シールド部材に、前記押し釦に復帰力を与えるための弾性片を一体的に形成してなることを特徴とする引出式ディスクトレイのパネル装置。
【請求項２】
キャビネットに形成された開口を介して出入自在に指示された引出式ディスクトレイに設置されるもので、該引出式ディスクトレイの出入駆動用の押し釦とシールド部材とを支持してなるパネル装置において、前記シールド部材に、前記押し釦を位置決めするための位置決め片を一体的に形成してなることを特徴とする引出式ディスクトレイのパネル装置。
【請求項３】
キャビネットに形成された開口を介して出入自在に指示された引出式ディスクトレイに設置されるもので、該引出式ディスクトレイの出入駆動用の押し釦とシールド部材とを支持してなるパネル装置において、前記シールド部材に、前記押し釦に復帰力を与えるための弾性片と、前記押し釦を位置決めするための位置決め片とを、一体的に形成してなることを特徴とする引出式ディスクトレイのパネル装置。
【請求項４】
前記弾性片は、一定の幅で一定の長さに形成され両端部が固定された支持部の略中央部から略舌状に突出するように構成され、前記支持部の捩じれが弾性力に付加される構造であることを特徴とする請求項１または３記載の引出式ディスクトレイのパネル装置。
【請求項５】
前記位置決め片は、前記弾性片から延出されることを特徴とする請求項３記載の引出式ディスクトレイのパネル装置。
【請求項６】
キャビネットに形成された開口を介して出入自在に支持され光ディスクを搭載可能とした引出式ディスクトレイと、
この引出式ディスクトレイに出入駆動用の押し釦が配置されるパネル装置と、このパネル装置に配置され、前記押し釦に復帰力を与えるための弾性片を一体的に形成したシールド部材とを具備することを特徴とする光ディスクドライブ装置。
【発明の詳細な説明】
【０００１】
【発明の属する技術分野】
この発明は、例えば光ディスク等に対して記録や再生を行なうディスクドライブシステムに係り、特にそのキャビネットに対して出入自在な引出式ディスクトレイのパネル装置の改良に関する。
【０００２】
【従来の技術】
周知のように、首記の如きディスクドライブシステムは、図３に示すように構成されている。すなわち、図３において、符号１１は薄型の略箱状に形成されたキャビネットである。このキャビネット１１内には、図示しない光ディスクを搭載可能なディスクトレイ１２が収容されている。このディスクトレイ１２は、キャビネット１１に対して、その一端部に形成された開口１１ａを介して、引出式に出入自在に支持されている。
【０００３】
また、このディスクトレイ１２の一端部には、パネル１３が設けられている。そして、ディスクトレイ１２がキャビネット１１内に完全に収容されたとき、パネル１３によりキャビネット１１の開口１１ａが閉塞される。そして、このパネル１３には、ディスクトレイ１２をキャビネット１１に対して出入させるためのイジェクト用の押し釦１４と、光ディスクが回転状態にあることを示す表示器１５とが並設されている。
【０００４】
このディスクドライブシステムでは、まず、ディスクトレイ１２がキャビネット１１内に収容されている場合、押し釦１４を押圧操作してディスクトレイ１２をキャビネット１１内から引き出し、この引き出したディスクトレイ１２に光ディスクを載置して、再度、押し釦１４を押圧操作する。これにより、ディスクドライブシステムは、ディスクトレイ１２をキャビネット１１内に引き込み、光ディスクに対してローディングを実行する。
【０００５】
そして、ディスクドライブシステムでは、図示しない再生釦等が操作されることにより、光ディスクを回転駆動させるとともに表示器１５を点灯させた後、図示しない光学式ピックアップを介して光ディスクからのデータの読み取りを実行することになる。
【０００６】
ところで、上記パネル１３には、図４（ａ），（ｂ）に示すように、上記押し釦１４及び表示器１５が設けられるとともに、不要放射対策及び静電破壊対策等のために金属でなる薄板状のシールド部材１６が設置されている。この場合、押し釦１４及び表示器１５は、パネル１３に、その表面１３ａ側に露出されるように支持されている。
【０００７】
すなわち、押し釦１４は、その図４（ｂ）で下部に示される操作部１４ａが、図４（ａ）に矢印Ａ，Ｂで示す方向に往復移動可能となるように、図４（ｂ）で上部に示される連結部１４ｂを、パネル１３に係合させる構成となっている。このとき、連結部１４ｂは、押し釦１４の位置決めも行なっている。また、この押し釦１４とパネル１３との間には、操作部１４ａに、図４（ａ）に矢印Ｂで示す方向の復帰力を与えるための図示しないスプリングが介在されている。
【０００８】
そして、押し釦１４の操作部１４ａをスプリングの付勢力に抗して押圧操作したとき、その操作力が、操作部１４ａの裏面中央部に突設された突起１４ｃを介して、シールド部材１６に形成された透孔１６ａを遊挿するディスクトレイ１２の出入駆動用のスイッチ（図示せず）に伝達される構成となっている。なお、上記表示器１５は、パネル１３の所定位置に固定されている。また、上記シールド部材１６は、パネル１３の裏面１３ｂ側に支持されている。
【０００９】
しかしながら、上記のようにパネル１３に押し釦１４，表示器１５及びシールド部材１６を取り付ける構造では、まず、押し釦１４のためにスプリングを必要とするので、部品点数が多く経済的に不利であるとともに、組み立て作業も困難であるという問題が生じている。
【００１０】
また、上記シールド部材１６は、そのシールド効果を高めるために可能な限り面積を広くすることが要求されている。一方、ディスクドライブシステムでは、可能な限りの薄型化が要求されているため、パネル１３自体の面積が狭くなる傾向にある。
【００１１】
このため、パネル１３に支持されるシールド部材１６としては、必然的に、押し釦１４や表示器１５と重なり合うことになる。ところが、押し釦１４とシールド部材１６との間には、押し釦１４の復帰用スプリングを介在させる必要があることから、パネル１３の厚みを薄くすることが困難になっているという不都合もある。
【００１２】
【発明が解決しようとする課題】
以上のように、従来の引出式ディスクトレイのパネル装置では、部品点数が多く大型化を招き易い構成で経済的に不利であるとともに、組み立て作業も困難であるという問題を有している。
【００１３】
そこで、この発明は上記事情を考慮してなされたもので、部品点数が少なく簡易な構成で小型化を効果的に促進することができ、しかも、経済的に有利で組立作業も容易である極めて良好な引出式ディスクトレイのパネル装置、及び光ディスクドライブ装置を提供することを目的とする。
【００１４】
【課題を解決するための手段】
この発明に係る引出式ディスクトレイのパネル装置は、キャビネットに形成された開口を介して出入自在に指示された引出式ディスクトレイに設置されるもので、該引出式ディスクトレイの出入駆動用の押し釦とシールド部材とを支持してなるものを対象としている。そして、シールド部材に、押し釦に復帰力を与えるための弾性片や、押し釦を位置決めするための位置決め片を、一体的に形成するようにしたものである。
また、この発明に係る光ディスクドライブ装置は、キャビネットに形成された開口を介して出入自在に支持され光ディスクを搭載可能とした引出式ディスクトレイと、この引出式ディスクトレイに出入駆動用の押し釦が配置されるパネル装置と、このパネル装置に配置され、押し釦に復帰力を与えるための弾性片を一体的に形成したシールド部材とを備えるようにしたものである。
【００１５】
上記のような構成によれば、シールド部材に、押し釦に復帰力を与えるための弾性片や、押し釦を位置決めするための位置決め片を、一体的に形成するようにしたので、部品点数が少なくて済み、簡易な構成で小型化を効果的に促進することができ、しかも、経済的に有利で組み立て作業も容易とすることができる。
【００１６】
【発明の実施の形態】
以下、この発明の実施の形態について図面を参照して詳細に説明する。図１において、図４と同一部分には同一符号を付して示している。すなわち、パネル１３には、その表面１３ａ側に露出されるように、押し釦１４及び表示器１５が支持されている。この場合、押し釦１４は、パネル１３に形成された図示しない透孔に、図１（ａ）に矢印Ａ，Ｂで示す方向に往復移動可能となるように遊挿されている。
【００１７】
また、上記パネル１３には、その裏面１３ｂ側に、金属でなる薄板状のシールド部材１６が、押し釦１４及び表示器１５と重なり合うように設置されている。そして、このシールド部材１６の押し釦１４と重なり合う部分には、押し釦１４の形状よりも一回り大きく裁断された開口部１６ｂが形成されている。ただし、この開口部１６ｂには、その図１（ｂ）に示す上端中央部から、略舌状に弾性片１６ｃが残存されている。
【００１８】
この弾性片１６ｃは、押し釦１４の裏面側に接触し、押し釦１４に図１（ａ）に矢印Ｂで示す方向の復帰力を与える作用を行なっている。この押し釦１４は、その裏面中央部に突設された突起１４ｄが、弾性片１６ｃに形成された透孔１６ｄを遊挿して、ディスクトレイ１２の出入駆動用のスイッチ（図示せず）に連結されている。そして、押し釦１４を弾性片１６ｃの付勢力に抗して矢印Ａで示す方向に押圧操作することにより、スイッチが投入されて、ディスクトレイ１２が出入駆動されるようになる。
【００１９】
また、上記弾性片１６ｃからは、図１（ｂ）に示すように、水平でかつ相互に背反する方向に、位置決め片１６ｅ，１６ｆが延出されている。一方、上記押し釦１４の裏面側には、位置決め片１６ｅ，１６ｆをそれぞれ上下方向から挟み込む、一対の位置決め突起（１４ｅ，１４ｅ），（１４ｆ，１４ｆ）が形成されている。このため、押し釦１４は、その位置決め突起（１４ｅ，１４ｅ），（１４ｆ，１４ｆ）それぞれの間に、弾性片１６ｃの位置決め片１６ｅ，１６ｆを挟み込むことにより、位置決めされるようになる。
【００２０】
したがって、上記した実施の形態によれば、シールド部材１６に、押し釦１４に復帰力を与えるための弾性片１６ｃと、押し釦１４の位置決めを行なうための位置決め片１６ｅ，１６ｆとをそれぞれ一体的に形成するようにしたので、部品点数が少なくて済み構成の簡易化を図り小型化を効果的に促進するとともに、経済的に有利で組み立て作業も容易化することができる。
【００２１】
特に、押し釦１４とシールド部材１６とを接触するように配置することができるので、パネル１３の厚みを非常に薄くすることができ、小型化をより一層促進させることができる。
【００２２】
また、上記弾性片１６ｃは、図２に示すように、シールド部材１６に、一定の幅で一定の長さに形成され両端部が固定された支持部１６ｇの中央部から、略舌状に突出する構成となっている。このため、例えば弾性片１６ｃに、図２に矢印Ｃで示す方向の力が加わった場合、弾性片１６ｃ自体のばね力と、支持部１６ｇの矢印Ｄで示す方向の捩じりによるばね力とが発生する構造であるため、大きいストロークと小さいばね定数とを小スペースで実現している。
なお、この発明は上記した実施の形態に限定されるものではなく、この外その要旨を逸脱しない範囲で種々変形して実施することができる。
【００２３】
【発明の効果】
以上詳述したようにこの発明によれば、部品点数が少なく簡易な構成で小型化を効果的に促進することができ、しかも、経済的に有利で組立作業も容易である極めて良好な引出式ディスクトレイのパネル装置、及び光ディスクドライブ装置を提供することができる。
【図面の簡単な説明】
【図１】この発明の実施の形態を説明するために示す図。
【図２】同実施の形態における要部の動作を説明するために示す斜視図。
【図３】ディスクドライブシステムの外観を示す斜視図。
【図４】同ディスクドライブシステムにおけるパネルの詳細な構造を示す図。
【符号の説明】
１１…キャビネット、
１２…ディスクトレイ、
１３…パネル、
１４…押し釦、
１５…表示器、
１６…シールド部材。
【図１】
0003576733.tif 000002
【図２】
0003576733.tif 000003
【図３】
0003576733.tif 000004
【図４】
0003576733.tif 000005